(57)【要約】【課題】消費者に画像により確認した服飾品の店舗内での陳列位置を消費者または店員が容易に知ることを可能とする。【解決手段】実施形態のコーディネート支援装置は、選択手段、生成手段、制御手段および処理手段を備える。選択手段は、店舗で販売する複数の服飾品のうちの少なくとも１つを選択する。生成手段は、カメラが店舗に来店している消費者を撮影して得た画像データが表す画像に選択手段が選択した服飾品の画像を合成した試着画像を表す画像データを生成する。制御手段は、生成手段が生成した画像データに基づいて試着画像を表示するよう表示デバイスを制御する。処理手段は、選択手段が選択した服飾品の店舗内での陳列位置を消費者または店舗の店員により判定可能とする位置情報を消費者または店員に対して報知するための報知動作を実行するための処理を行う。【選択図】図１
2013186484.tif 000002
【特許請求の範囲】
【請求項１】
店舗で販売する複数の服飾品のうちの少なくとも１つを選択する選択手段と、
カメラが前記店舗に来店している消費者を撮影して得た画像データが表す画像に前記選択手段が選択した服飾品の画像を合成した試着画像を表す画像データを生成する生成手段と、
前記生成手段が生成した画像データに基づいて前記試着画像を表示するよう表示デバイスを制御する制御手段と、
前記選択手段が選択した服飾品の前記店舗内での陳列位置を前記消費者または前記店舗の店員により判定可能とする位置情報を前記消費者または前記店員に対して報知するための報知動作を実行するための処理を行う処理手段とを具備したコーディネート支援装置。
【請求項２】
前記選択手段が選択した服飾品の前記店舗内での陳列位置を前記店舗内の見取図上に表した位置画像を表した画像データを生成する手段をさらに備え、
前記処理手段は前記処理として、前記位置画像を表した画像データに基づいて前記位置画像を表示するように前記表示デバイスを制御する請求項１に記載のコーディネート支援装置。
【請求項３】
前記選択手段が選択した服飾品の前記店舗内での陳列位置を前記店舗内の見取図上に表した位置画像を表した画像データを生成する手段をさらに備え、
前記処理手段は前記処理として、前記位置画像を表した画像データに基づいて前記位置画像を情報端末で表示させるための処理を行う請求項１に記載のコーディネート支援装置。
【請求項４】
前記選択手段は、前記店舗で販売する前記複数の服飾品のうちの少なくとも２つの組み合わせを表したコーディネート情報を複数記憶したデータベースから前記消費者が指定する条件に従って１つのコーディネート情報を取得し、当該コーディネート情報が表した組み合わせに含まれる服飾品のうちの少なくとも１つを選択する請求項１乃至３のいずれか一項に記載のコーディネート支援装置。
【請求項５】
前記カメラまたは前記表示デバイスの少なくともいずれか一方をさらに備える請求項１乃至４のいずれか一項に記載のコーディネート支援装置。
【請求項６】
カメラと表示デバイスとが接続されたコンピュータを、
店舗で販売する服飾品のうちの少なくとも１つを選択する選択手段と、
前記カメラが前記店舗に来店している消費者を撮影して得た画像データが表す画像に前記選択手段が選択した服飾品の画像を合成した試着画像を表す画像データを生成する生成手段と、
前記生成手段が生成した画像データに基づいて前記試着画像を表示するよう前記表示デバイスを制御する制御手段と、
前記選択手段が選択した服飾品の前記店舗内での陳列位置を前記消費者または前記店舗の店員により判定可能とする位置情報を前記消費者または前記店員に対して報知するための報知動作を実行するための処理を行う処理手段として機能させるためのコーディネート支援プログラム。
【請求項７】
互いに通信可能なサーバと端末装置とからなり、
前記サーバまたは前記端末装置に設けられ、店舗で販売する複数の服飾品のうちの少なくとも１つを選択する選択手段と、
前記サーバまたは前記端末装置に設けられ、カメラが前記店舗に来店している消費者を撮影して得た画像データが表す画像に前記選択手段が選択した服飾品の画像を合成した試着画像を表す画像データを生成する生成手段と、
前記端末装置に設けられ、前記生成手段が生成した画像データに基づいて前記試着画像を表示するよう表示デバイスを制御する制御手段と、
前記端末装置に設けられ、前記選択手段が選択した服飾品の前記店舗内での陳列位置を前記消費者または前記店舗の店員により判定可能とする位置情報を前記消費者または前記店員に対して報知するための報知動作を実行するための処理を行う処理手段とを具備し、
かつ前記選択手段および前記生成手段の少なくともいずれか一方は前記サーバに設けられるコーディネート支援システム。
【発明の詳細な説明】
【技術分野】
【０００１】
本発明の実施形態は、コーディネート支援装置、コーディネート支援プログラムおよびコーディネート支援システムに関する。
【背景技術】
【０００２】
衣服や装身具等の服飾品のコーディネートの良否判断に悩む消費者に対し、他の消費者によるコーディネート例を参照情報として提供する技術は知られている。
【０００３】
そして、お勧めの服飾品や消費者が指定した服飾品の画像を消費者の画像に合成した画像を消費者に提示することにより、服飾品を実際に試着しなくとも、当該服飾品を消費者が着用した様子を消費者が確認できるようにする技術が知られている。
【先行技術文献】
【特許文献】
【０００４】
【特許文献１】特開２００５−１７４２０４号公報
【特許文献２】特許第３６３８８３８号
【発明の概要】
【発明が解決しようとする課題】
【０００５】
これまでの技術では、提案された服飾品の現物を消費者が見たいと思ったり、購入したいと思った場合には、該当する服飾品を店内に陳列された多数の服飾品の中から消費者が探し出さなければならなかった。あるいは、消費者からの依頼を受けて、店員が該当する服飾品を店内に陳列された多数の服飾品の中から探し出さなければならなかった。
【０００６】
このような事情から、消費者に画像により確認した服飾品の店舗内での陳列位置を消費者または店員が容易に知ることができることが望まれる。
【課題を解決するための手段】
【０００７】
実施形態のコーディネート支援装置は、選択手段、生成手段、制御手段および処理手段を備える。選択手段は、店舗で販売する複数の服飾品のうちの少なくとも１つを選択する。生成手段は、カメラが前記店舗に来店している消費者を撮影して得た画像データが表す画像に前記選択手段が選択した服飾品の画像を合成した試着画像を表す画像データを生成する。制御手段は、前記生成手段が生成した画像データに基づいて前記試着画像を表示するよう表示デバイスを制御する。処理手段は、前記選択手段が選択した服飾品の前記店舗内での陳列位置を前記消費者または前記店舗の店員により判定可能とする位置情報を前記消費者または前記店員に対して報知するための報知動作を実行するための処理を行う。
【図面の簡単な説明】
【０００８】
【図１】一実施形態に係るコーディネート支援システムのブロック図。
【図２】図１中の商品データベースに含まれるデータレコードの構造を示す図。
【図３】図１中のコーディネートデータベースに含まれるデータレコードの構造を示す図。
【図４】図１中の画像管理データベースに含まれるデータレコードの構造を示す図。
【図５】図１中のＣＰＵの管理処理におけるフローチャート。
【図６】図１中のＣＰＵのコーディネート支援処理におけるフローチャート。
【図７】第１の画面の一例を示す図。
【図８】第２の画面の一例を示す図。
【図９】第３の画面の一例を示す図。
【図１０】第４の画面の一例を示す図。
【図１１】ナビ画像の一例を示す図。
【図１２】第５の画面の一例を示す図。
【図１３】クラウドコンピューティングを利用するコーディネート支援システムの構成を示す図。
【発明を実施するための形態】
【０００９】
以下、コーディネート支援システムの一実施形態について、図面を用いて説明する。なお、この実施形態は、服飾品（衣服および装飾品）等を販売する店舗において、服飾品のコーディネートに関する情報を消費者に提供する場合である。
【００１０】
図１はコーディネート支援システム１００のブロック図である。コーディネート支援システム１００は、店舗サーバ１、商品サーバ２、会員サーバ３、コーディネートサーバ４および店舗システム５を含む。これらの店舗サーバ１、商品サーバ２、会員サーバ３、コーディネートサーバ４および店舗システム５は、通信ネットワーク６を介して適宜に通信できる。なお通信ネットワーク６としては、典型的にはインターネットが利用できるが、企業内通信網などの別の形式の通信ネットワークを利用しても良い。
【００１１】
店舗サーバ１は、記憶デバイスを内蔵し、この記憶デバイスの一部の記憶領域に構築した店舗データベース（店舗ＤＢ）１１を管理する。
【００１２】
店舗データベース１１は、店舗コードに関連づけて、店舗名および電話番号などの各項目に関する情報を記述したデータレコードを含む。店舗コードの情報は、店舗システム５を利用する店舗を識別するために設定される固有の識別コードである。店舗名および電話番号の各項目の情報は、関連づけられた店舗コードで識別される店舗の名称および電話番号を表す。
【００１３】
商品サーバ２は、記憶デバイスを内蔵し、この記憶デバイスの一部の記憶領域に構築した商品データベース（商品ＤＢ）２１および商品画像データベース（商品画像ＤＢ）２２を管理する。
【００１４】
商品データベース２１は、図２に示すように、商品コードに関連づけて、商品名、陳列位置およびファイル名などの各項目に関する情報を記述したデータレコードを含む。商品コードは、店舗で販売される各種の商品（服飾品）を識別するために設定される固有の識別コードである。陳列位置の項目の情報は、関連づけられた商品コードで識別される商品の店舗内における陳列位置を特定するための情報である。当該情報は例えば、陳列棚やハンガーラックのそれぞれを識別するために設定される固有の識別コードを用いることが考えられる。ファイル名の項目の情報は、関連づけられた商品コードで識別される商品の画像を表した画像データに対して設定されたファイル名である。商品データベース２１が含むデータレコードは、商品を販売する際の単価、商品を分類するための区分、商品のサイズ、商品の色、商品の販売店における在庫数、その他の各情報の一部または全てを含んでも良い。因みに、各商品には、その商品に割り当てられた商品コードがバーコードの形態で付される。
【００１５】
商品画像データベース２２は、商品の画像を表した画像データを複数含む。これらの画像データには、それぞれを識別するための固有のファイル名が設定される。そしてこのファイル名が商品データベース２１に含まれたファイル名の項目に記述される。
【００１６】
会員サーバ３は、記憶デバイスを内蔵し、この記憶デバイスの一部の記憶領域に構築した会員データベース（会員ＤＢ）３１を管理する。
【００１７】
会員データベース３１は、会員コードに関連付けて、氏名、性別、年齢、身長、体重およびポイントなどの各項目に関する情報を記述したデータレコードを含む。会員コードは、会員登録した消費者（会員）を識別するために設定される固有の識別コードである。氏名、性別、年齢、身長および体重の各項目の情報は、関連づけられた会員コードで識別される消費者が申告した氏名、性別、年齢、身長および体重をそれぞれ表す。ポイントの項目の情報は、関連づけられた会員コードで識別される消費者が保有するポイント数を表す。ポイントの項目の情報は、ポイントの獲得や使用に関わる履歴情報を含んでも良い。
【００１８】
コーディネートサーバ４は、記憶デバイスを内蔵し、この記憶デバイスの一部の記憶領域に構築したコーディネートデータベース（コーディネートＤＢ）４１、画像管理データベース（画像管理ＤＢ）４２およびナビ画像データベース（ナビ画像ＤＢ）４３を管理する。
【００１９】
コーディネートデータベース４１は、図３に示すように、コーディネートコードに関連づけて、登録日および商品コードの各項目の情報を記述したデータレコードを含む。コーディネートコードは、消費者に提案するために登録されたコーディネートのそれぞれを識別するために設定される固有の識別コードである。登録日の項目の情報は、関連づけられたコーディネートコードで識別されるコーディネートが登録された日付を表す。商品コードの項目の情報は、関連づけられたコーディネートコードで識別されるコーディネートに含まれる商品の商品コードを表す。商品コードの項目は、少なくとも２つを含む。
【００２０】
画像管理データベース４２は、図４に示すように、ファイル名に関連づけて、登録日およびＵＲＬの各項目の上表を記述したデータレコードを含む。ファイル名の項目の情報は、ナビ画像データベース４３が保存するナビ画像データに対して設定されたファイル名である。登録日の項目の情報は、関連づけられたファイル名で識別されるナビ画像データがナビ画像データベース４３に保存された日付を表す。ＵＲＬの項目の情報は、関連づけられたファイル名で識別されるナビ画像データに通信ネットワーク６を介してアクセスするためのＵＲＬ（uniform resource locator）である。
【００２１】
ナビ画像データベース４３は、コーディネート支援装置５１が後述するように生成するナビ画像データを複数含む。これらのナビ画像データには、それぞれを識別するための固有のファイル名が設定される。そしてこのファイル名が画像管理データベース４２に含まれたファイル名の項目に記述される。
【００２２】
店舗サーバ１、商品サーバ２、会員サーバ３およびコーディネートサーバ４のハードウェアとしては、例えば汎用のネットワークサーバを用いることができる。店舗データベース１１、商品データベース２１、会員データベース３１およびコーディネートデータベース４１は、各サーバに外付けされた記憶デバイス内に構築されても良い。
【００２３】
店舗システム５は、コーディネート支援装置５１およびＰＯＳ（point of sales）端末５２を少なくとも１つずつ含む。コーディネート支援装置５１およびＰＯＳ端末５２は、個別に通信ネットワーク６に接続される。ただしコーディネート支援装置５１およびＰＯＳ端末５２は、店舗に設けられ、通信ネットワーク６に接続されたＬＡＮ（local area network）に接続されても良い。
【００２４】
コーディネート支援装置５１は、例えば店舗内の試着室内に配置される。コーディネート支援装置５１は、消費者に対して店舗の商品のコーディネートを提案する。
【００２５】
ＰＯＳ端末５２は、例えば店舗内の精算カウンタに配置される。ＰＯＳ端末５２は、商品の販売データの管理のための各種の周知の処理を行う。
【００２６】
コーディネート支援装置５１は、ＣＰＵ（central processing unit）５１ａ、ＲＯＭ（read-only memory）５１ｂ、ＲＡＭ（random-access memory）５１ｃ、表示器５１ｄ、タッチセンサ５１ｅ、カメラ５１ｆ、スキャナ５１ｇおよび通信デバイス５１ｈを含む。これらの各部は、いずれもバスライン５１ｉに接続される。
【００２７】
ＣＰＵ５１ａは、ＲＯＭ５１ｂおよびＲＡＭ５１ｃに記憶されたオペレーティングシステムおよびアプリケーションプログラムに基づいて、コーディネート支援装置５１としての後述する動作を実現するべく各部を制御する。
【００２８】
ＲＯＭ５１ｂは、上記のオペレーティングシステムを記憶する。ＲＯＭ５１ｂは、上記のアプリケーションプログラムを記憶する場合もある。またＲＯＭ５１ｂは、ＣＰＵ５１ａが各種の処理を行う上で参照するデータを記憶する場合も有る。ＲＯＭ５１ｂが記憶するデータには、後述する各種の画面を表す画像データや当該画像の構成要素となる画像データなどを含む。
【００２９】
ＲＡＭ５１ｃは、ＣＰＵ５１ａが各種の処理を行う上で参照するデータを記憶する。さらにＲＡＭ５１ｃは、ＣＰＵ５１ａが各種の処理を行う上で一時的に使用するデータを記憶しておく、いわゆるワークエリアとして利用される。ＲＡＭ５１ｃは、上記のアプリケーションプログラムを記憶する場合も有る。
【００３０】
ＲＯＭ５１ｂおよびＲＡＭ５１ｃとは別に補助記憶デバイスを設け、この補助記憶デバイスが上記のアプリケーションプログラムを記憶しても良い。補助記憶デバイスとしては、ＥＥＰＲＯＭ（electric erasable programmable read-only memory）、ハードディスクドライブ、あるいはＳＳＤ（solid state drive）などが利用できる。
【００３１】
ＲＯＭ５１ｂまたはＲＡＭ５１ｃに記憶されるアプリケーションプログラムには、後述するコーディネート支援処理に関して記述したコーディネート支援プログラムと、コーディネート支援処理の起動および停止を管理する管理処理に関して記述した管理プログラムとを含む。このコーディネート支援プログラムおよび管理プログラムがＲＡＭ５１ｃまたは補助記憶デバイスに記憶される場合、コーディネート支援装置５１の譲渡は、一般的にコーディネート支援プログラムおよび管理プログラムがＲＡＭ５１ｃまたは補助記憶デバイスに記憶された状態にて行われる。しかし、コーディネート支援プログラムおよび管理プログラムがＲＡＭ５１ｃまたは補助記憶デバイスに記憶されない状態でコーディネート支援装置５１が譲渡されるとともに、磁気ディスク、光磁気ディスク、光ディスク、半導体メモリなどのようなリムーバブルな記録媒体に記録して、あるいはネットワークを介して上記のコーディネート支援プログラムおよび管理プログラムが譲渡され、このコーディネート支援プログラムおよび管理プログラムが上記の別途に譲渡されたコーディネート支援装置５１のＲＡＭ５１ｃまたは補助記憶デバイスに書き込まれても良い。
【００３２】
表示器５１ｄは、例えばＬＣＤ（liquid crystal display）であり、ＣＰＵ５１ａの制御の下に任意の画像を表示する。表示器５１ｄは、例えば試着室の壁面に取り付けられる。表示器５１ｄは、試着室に在室している消費者に対して提示するべき各種の情報を表した画像を表示するために利用される。
【００３３】
タッチセンサ５１ｅは表示器５１ｄの表示面に積層配置される。そしてタッチセンサ５１ｅは、表示器５１ｄの表示画面への消費者によるタッチがなされた際に、そのタッチ位置に応じた検出信号を出力する。
【００３４】
カメラ５１ｆは、試着室に在室している消費者の体を撮影し、画像データを得る。
【００３５】
スキャナ５１ｇは、商品に付されたバーコードを読み取り、当該バーコードが表す商品コードを出力する。
【００３６】
通信デバイス５１ｈは、通信ネットワーク６を介した通信のための処理を行う。
【００３７】
次に以上のように構成されたコーディネート支援システム１００の動作について説明する。
【００３８】
図５はＣＰＵ５１ａの管理処理におけるフローチャートである。
【００３９】
コーディネート支援装置５１の電源が投入されると、ＣＰＵ５１ａは管理プログラムに基づいて図５に示すような管理処理を開始する。ＣＰＵ５１ａは、コーディネート支援装置５１が動作状態にある間、この管理処理を継続する。
【００４０】
ステップＳａ１においてＣＰＵ５１ａは、消費者が試着室に在室しているか否かを確認する。これは例えばカメラ５１ｆが出力する画像データを解析して、カメラ５１ｆが人間を撮影する状態にあるか否かを確認することにより実現できる。あるいは、試着室内を検出エリアとする人感センサを備えて、その出力の状態を確認することによって実現しても良い。そして、消費者が在室していないと判定した場合にＣＰＵ５１ａは、ステップＳａ１に戻る。かくしてＣＰＵ５１ａは、消費者が試着室に在室する状態になるのを待ち受ける。そしてＣＰＵ５１ａは、消費者が試着室に在室することを確認したならば、ステップＳａ１からステップＳａ２へ進む。
【００４１】
ステップＳａ２においてＣＰＵ５１ａは、コーディネート支援プログラムに基づくコーディネート支援処理を別タスクの処理として起動する。
【００４２】
図６はＣＰＵ５１ａのコーディネート支援処理におけるフローチャートである。
【００４３】
ステップＳｂ１においてＣＰＵ５１ａは、表示器５１ｄにおける表示を第１の画面とする。
【００４４】
図７は一例としての第１の画面２０１を示す図である。
【００４５】
第１の画面２０１は、カメラ５１ｆが出力する画像データが表す撮影画像２１１に、ボタン２１２を重畳して表す。撮影画像２１１は、動画としても良いし、静止画を一定の時間間隔で更新して表すものとしても良い。
【００４６】
このとき、消費者が試着室に在室しているので、撮影画像２１１には消費者が映り込んでいる。かくして、第１の画面２０１を目視することにより消費者は、消費者自身の姿を確認することができる。つまり、消費者が商品を試着していれば、消費者は、消費者自身の試着姿を確認することができる。
【００４７】
さて、消費者が試着している商品を含んだコーディネートの提案を受けたい場合に消費者は、ボタン２１２にタッチすることとする。
【００４８】
ステップＳｂ２においてＣＰＵ５１ａは、ボタン２１２がタッチされたか否かを、タッチセンサ５１ｅが出力する検出信号を解析することで確認する。そして、ボタン２１２がタッチされていないと判定した場合にＣＰＵ５１ａは、ステップＳｂ２に戻る。かくしてＣＰＵ５１ａは、ボタン２１２がタッチされるのを待ち受ける。そしてＣＰＵ５１ａは、ボタン２１２がタッチされたことを確認したならば、ステップＳｂ２からステップＳｂ３へ進む。
【００４９】
ステップＳｂ３においてＣＰＵ５１ａは、表示器５１ｄにおける表示を第２の画面とする。
【００５０】
図８は一例としての第２の画面２０２を示す図である。図８において、図７に示されるのと同一の表示オブジェクトには図７と同一の符号を付し、その詳細な説明は省略する。
【００５１】
第２の画面２０２は、撮影画像２１１に、ガイダンス画像２１３を重畳して表す。ガイダンス画像２１３は、試着商品のバーコードをスキャナ５１ｇにかざすように消費者に促す文字メッセージと、ボタン２１４とを含む。かくして、消費者は、試着商品のバーコードをスキャナ５１ｇにかざすべきであることを知ることができる。なお、撮影画像２１１は図７および図８においては変化していないが、実際には消費者は動いているのであり、撮影画像２１１は逐次に変化する。
【００５２】
ステップＳｂ４においてＣＰＵ５１ａは、スキャナ５１ｇでバーコードがスキャンされるか、あるいはボタン２１４がタッチされるのを待ち受ける。なお、ステップＳｂ４の処理は実際には、スキャナ５１ｇが商品コードを出力したか否かを確認する処理と、ボタン２１４がタッチされたか否かを確認する処理とを繰り返すことにより実現される。そしてスキャナ５１ｇがバーコードの読み取りに成功し、当該バーコードが表す商品コードを出力したことを確認したならばＣＰＵ５１ａは、ステップＳｂ４からステップＳｂ５へ進む。なお、ＣＰＵ５１ａは、ボタン２１４がタッチされたことを確認したならば、すなわち消費者によりキャンセルが指示されたならば、ステップＳｂ４からステップＳｂ１に戻る。つまりＣＰＵ５１ａは、コーディネート支援装置５１の動作状態を、コーディネート支援処理の初期の状態に戻す。
【００５３】
ステップＳｂ５においてＣＰＵ５１ａは、スキャナ５１ｇが出力した商品コードをＲＡＭ５１ｃに保存する。
【００５４】
ステップＳｂ６においてＣＰＵ５１ａは、表示器５１ｄにおける表示を第３の画面とする。
【００５５】
図９は一例としての第３の画面２０３を示す図である。図９において、図７に示されるのと同一の表示オブジェクトには図７と同一の符号を付し、その詳細な説明は省略する。
【００５６】
第３の画面２０３は、撮影画像２１１に、ボタン２１５，２１６，２１７を重畳して表す。
【００５７】
ボタン２１５，２１６は、その内部領域にコーディネートの絞り込み条件（予算およびカラー）を表す。図９では、予算およびカラーのいずれも無設定である状態を示している。絞り込み条件を変更したい場合に消費者は、ボタン２１５,２１６のいずれかにタッチすることとする。なお、撮影画像２１１も撮影画像２１１と同様に逐次に変化する。
【００５８】
ステップＳｂ７においてＣＰＵ５１ａは、ボタン２１５，２１６，２１７のいずれかがタッチされるのを待ち受ける。そしてＣＰＵ５１ａは、ボタン２１５，２１６のいずれかがタッチされたことを確認したならば、すなわち条件の設定を行うことが消費者により指示されたならば、ステップＳｂ７からステップＳｂ８へ進む。
【００５９】
ステップＳｂ８においてＣＰＵ５１ａは、タッチされたボタンに対応する絞り込み条件を消費者の指示に応じて変更する。具体的には、ＣＰＵ５１ａは、ボタン２１５がタッチされたのならば、予算に関する選択肢のリストを表した新たなウィンドウを第３の画面２０３に重ねて表すよう表示器５１ｄにおける表示を変更する。そしてＣＰＵ５１ａは、リストに示された選択肢のいずれかがタッチされたならば、当該選択肢を絞り込み条件の１つとして設定する。例えば予算に関する選択肢としては、「10000円以内」「最安値」「トータル金額設定」などを含めることが考えられる。なお、ＣＰＵ５１ａは、「トータル金額設定」がタッチされたならば、置数ボタンを含んだウィンドウを表すように表示器５１ｄにおける表示をさらに変更し、このウィンドウにおける消費者のタッチに応じてトータル金額を設定する。ＣＰＵ５１ａは、ボタン２１６がタッチされた場合も同様に、色のリストを表したウィンドウを表示器５１ｄに表示させ、このウィンドウにおける消費者によりタッチされた色を絞り込み条件の１つとして設定する。
【００６０】
ステップＳｂ９においてＣＰＵ５１ａは、表示器５１ｄにおける表示を第３の画面２０３に戻すとともに、設定が変更された絞り込み条件に関するボタンを、その内部領域において現在の設定を表すように変更する。こののちにＣＰＵ５１ａは、ステップＳｂ７の待ち受け状態に戻る。
【００６１】
絞り込み条件の変更が必要無いか、絞り込み条件の変更が完了し、コーディネートの提案を実行させたいならば消費者は、ボタン２１７にタッチすることとする。そしてＣＰＵ５１ａは、ボタン２１７がタッチされたことを確認したならば、すなわちコーディネートの提案を実行すべきことが消費者により指示されたならば、ステップＳｂ７からステップＳｂ１０へ進む。
【００６２】
ステップＳｂ１０においてＣＰＵ５１ａは、第１の要求情報を通信デバイス５１ｈからコーディネートサーバ４に宛てて通信ネットワーク６へと送信する。第１の要求情報は、ステップＳｂ５においてＲＡＭ５１ｃに保存した商品コードと、現時点で設定されている絞り込み条件を示す条件情報とを含む。
【００６３】
第１の要求情報を受けるとコーディネートサーバ４は、この第１の要求情報に含まれた商品コードを含み、かつ第１の要求情報に含まれた条件情報が示す絞り込み条件に合致するデータレコードをコーディネートデータベース４１に含まれたデータレコードのうちから抽出する。なお、ここでデータレコードを抽出するための処理には、データベース検索のための周知の技術を利用できる。そしてコーディネートサーバ４は、抽出したデータレコードに含まれ、第１の要求情報には含まれない商品コードを含んだ第１の応答情報を生成し、これをコーディネート支援装置５１に宛てて通信ネットワーク６へと送信する。抽出したデータレコードに含まれ、第１の要求情報には含まれない商品コードが複数ある場合には、コーディネートサーバ４はその複数の商品コードをいずれも第１の応答情報に含める。そして第１の応答情報が通信ネットワーク６によりコーディネート支援装置５１へと転送されると、この第１の応答情報を通信デバイス５１ｈが受信する。
【００６４】
ステップＳｂ１１においてＣＰＵ５１ａは、上記のように通信デバイス５１ｈが受信した第１の応答情報をＲＡＭ５１ｃに保存する。
【００６５】
ステップＳｂ１２においてＣＰＵ５１ａは、第２の要求情報を通信デバイス５１ｈから商品サーバ２に宛てて通信ネットワーク６へと送信する。第２の要求情報は、第１の応答情報に含まれた少なくとも１つの商品コードの全てを含む。
【００６６】
第２の要求情報を受けると商品サーバ２は、第２の要求情報に含まれた少なくとも１つの商品コードをそれぞれ含んだ少なくとも１つのデータレコードを商品データベース２１に含まれたデータレコードのうちから抽出する。次に商品サーバ２は、抽出した少なくとも１つのデータレコード中に記述されたファイル名で識別される少なくとも１つの画像データを商品画像データベース２２から読み出す。そして商品サーバ２は、読み出した少なくとも１つの画像データと、上記の抽出した少なくとも１つのデータレコード中に記述された少なくとも１つの陳列位置情報とを含めた第２の応答情報を生成し、これをコーディネート支援装置５１に宛てて通信ネットワーク６へと送信する。そして第２の応答情報が通信ネットワーク６によりコーディネート支援装置５１へと転送されると、この第２の応答情報を通信デバイス５１ｈが受信する。
【００６７】
ステップＳｂ１３においてＣＰＵ５１ａは、上記のように通信デバイス５１ｈが受信した第２の応答情報をＲＡＭ５１ｃに保存する。
【００６８】
ステップＳｂ１４においてＣＰＵ５１ａは、表示器５１ｄにおける表示を第４の画面とする。
【００６９】
図１０は一例としての第４の画面２０４を示す図である。図１０において、図７，９に示されるのと同一の表示オブジェクトには図７，９と同一の符号を付し、その詳細な説明は省略する。
【００７０】
第４の画面２０４は、撮影画像２１１、ボタン２１５，２１６、商品画像２１８，２１９およびボタン２２０，２２１を含む。
【００７１】
商品画像２１８，２１９は、ステップＳｂ１３にてＲＡＭ５１ｃに保存した第２の応答情報に含まれた画像データが表す画像である。ＣＰＵ５１ａは、撮影画像２１１に映っている消費者に重ねて商品画像２１８を表すように、第４の画面２０４内での商品画像２１８の位置および大きさを定める。この処理には、周知の技術を利用できる。ＣＰＵ５１ａは、撮影画像２１１の右上の予め定めた位置に、予め定めた大きさで商品画像２１９を配置する。かくして、商品画像２１８，２１９は同一の画像であるが、第４の画面２０４内での位置および大きさがそれぞれ異なる。なお、第２の応答情報に複数の画像データが含まれる場合にＣＰＵ５１ａは、各画像データに基づいて商品画像２１８，２１９と同様な形態で２つずつの商品画像を第４の画面２０４内に配置する。
【００７２】
このように、ＣＰＵ５１ａは、店舗で販売する商品のうちの第１の応答情報に含まれた商品コードで識別される商品を選択し、この商品の画像を消費者の画像に合成した画像を生成し、さらにこの画像を表示するように表示器５１ｄを制御しているのであり、ＣＰＵ５１ａはコーディネート支援プログラムに基づいて選択手段、生成手段および制御手段として機能する。
【００７３】
消費者は、商品画像２１９により、既に試着している商品とのコーディネートが提案された商品（以下、提案商品と称する）の外観を確認することができる。また消費者は、撮影画像２１１と商品画像２１８とにより、既に試着している商品と提案商品との双方を消費者自身が着用した様子を確認することができる。
【００７４】
ここで、消費者が別のコーディネートを参照したい場合には、消費者はボタン２２０にタッチすることとする。なお、消費者が絞り込み条件を変更したいのであれば、ボタン２２０をタッチするのに先立って、ボタン２１５またはボタン２１６にタッチすることとする。また、消費者が提案商品の店舗内での陳列位置を確認したいのであれば、消費者はボタン２２１にタッチすることとする。
【００７５】
そこでステップＳｂ１５においてＣＰＵ５１ａは、ボタン２１５，２１６，２２０，２２１のいずれかがタッチされるのを待ち受ける。そしてＣＰＵ５１ａは、ボタン２１５，２１６のいずれかがタッチされたことを確認したならば、すなわち条件の設定を行うことが消費者により指示されたならば、ステップＳｂ１５からステップＳｂ１６へ進む。
【００７６】
ステップＳｂ１６，Ｓｂ１７においてＣＰＵ５１ａは、ステップＳｂ８，Ｓｂ９と同様にして絞り込み条件およびボタンの変更を行い、こののちにステップＳｂ１５の待ち受け状態に戻る。
【００７７】
ＣＰＵ５１ａは、別のコーディネートの提案を指示するべく消費者がボタン２２０にタッチしたことを確認したならば、ステップＳｂ１５からステップＳｂ１０へ戻り、ステップＳｂ１０乃至ステップＳｂ１５を再度行う。
【００７８】
ところで、ＣＰＵ５１ａは、ステップＳｂ１５の待ち受け状態にあるときに消費者がボタン２２１にタッチしたことを確認したならば、ステップＳｂ１８へ進む。
【００７９】
ステップＳｂ１８においてＣＰＵ５１ａは、ナビ画像を表すナビ画像データを生成し、このナビ画像データをコーディネートサーバ４にアップロードする。
【００８０】
図１１は一例としてのナビ画像２２２を示す図である。図１１において、図１０に示されるのと同一の表示オブジェクトには図１０と同一の符号を付し、その詳細な説明は省略する。
【００８１】
ＣＰＵ５１ａは、商品画像２１９と位置画像２２３とを並べて示す画像としてナビ画像２２２を生成する。ＣＰＵ５１ａは、店舗内の陳列棚またはハンガーラックなど、レジおよび試着室の配置を表した見取図中に提案商品の陳列位置を示すマーク（図１１では星印）を表した画像を位置画像２２３とする。なお、見取図を表す画像データは、ＲＡＭ５１ｃに予め保存しておく。見取図を表す画像データは、店舗サーバ１が管理する記憶デバイスに保存しておいても良い。ＣＰＵ５１ａは、ステップＳｂ１３にてＲＡＭ５１ｃに保存した第２の応答情報に含まれた陳列位置情報に基づいて、陳列位置を示すマークの位置を決定する。
【００８２】
コーディネートサーバ４は、アップロードされたナビ画像データをナビ画像データベース４３に追加する。この際にコーディネートサーバ４は、アップロードされたナビ画像データに対してファイル名とＵＲＬとを設定し、これらのファイル名およびＵＲＬとこの時点での日付を表した登録日とを含んだデータレコードを画像管理データベース４２に追加する。
【００８３】
ステップＳｂ１９においてＣＰＵ５１ａは、表示器５１ｄにおける表示を第５の画面とする。
【００８４】
図１２は一例としての第５の画面２０５を示す図である。図１２において、図７，９，１０，１１に示されるのと同一の表示オブジェクトには図７，９，１０，１１と同一の符号を付し、その詳細な説明は省略する。
【００８５】
第５の画面２０５は、撮影画像２１１、ボタン２１５，２１６，２２０、商品画像２１８、ナビ画像２２２および二次元コード２２３を含む。
【００８６】
ＣＰＵ５１ａは、上記のように生成したナビ画像２２２を撮影画像２１１の右上の予め定められた位置に配置する。またＣＰＵ５１ａは、ナビ画像２２２を表すナビ画像データに対してコーディネートサーバ４にて設定されたＵＲＬを表す二次元コード２２３を生成し、この二次元コード２２３をナビ画像２２２の下に配置する。なお、図１２においては、ナビ画像２２２の一部の図示を省略している。
【００８７】
かくして消費者は、ナビ画像２２２より、店舗内における提案商品の陳列位置を容易に知ることができる。
【００８８】
また消費者が、消費者自身が所有する携帯電話端末やスマートフォンなどの携帯情報端末に二次元コード２２３を読み込ませることにより、当該携帯情報端末にナビ画像２２２を表したナビ画像データに対して設定されたＵＲＬを取り込ませることができる。そして消費者が携帯情報端末またはスマートフォンを操作して上記のＵＲＬにアクセスすると、コーディネートサーバ４から携帯情報端末へと、ナビ画像２２２を表したナビ画像データがダウンロードされ、携帯情報端末の表示器においてナビ画像２２２が表示される。このため消費者は、試着室から提案商品の陳列位置まで、ナビ画像２２２を確認しながら移動することができる。
【００８９】
このように、ＣＰＵ５１ａは、店舗で販売する商品のうちのから選択した商品の店舗内での陳列位置を表した画像を生成し、さらにこの画像を表示器５１ｄにて表示することにより上記商品の陳列位置を消費者に報知しているのであり、ＣＰＵ５１ａはコーディネート支援プログラムに基づいて処理手段として機能する。
【００９０】
ただし、第５の画面２０５が表示された状態であっても、消費者が別のコーディネートを参照したい場合には、消費者はボタン２２０にタッチする。なお、消費者が絞り込み条件を変更したいのであれば、ボタン２２０をタッチするのに先立って、ボタン２１５またはボタン２１６にタッチする。
【００９１】
そこでステップＳｂ２０においてＣＰＵ５１ａは、ボタン２１５，２１６，２２０のいずれかがタッチされるのを待ち受ける。そしてＣＰＵ５１ａは、ボタン２１５，２１６のいずれかがタッチされたことを確認したならば、すなわち条件の設定を行うことが消費者により指示されたならば、ステップＳｂ２０からステップＳｂ２１へ進む。
【００９２】
ステップＳｂ２１，Ｓｂ２２においてＣＰＵ５１ａは、ステップＳｂ８，Ｓｂ９と同様にして絞り込み条件およびボタンの変更を行い、こののちにステップＳｂ２０の待ち受け状態に戻る。
【００９３】
ＣＰＵ５１ａは、別のコーディネートの提案を指示するべく消費者がボタン２２０にタッチしたことを確認したならば、ステップＳｂ２０からステップＳｂ１０へ戻り、ステップＳｂ１０以降の処理を再度行う。
【００９４】
ところでＣＰＵ５１ａは、図５に示す管理処理のステップＳａ２においてコーディネート支援処理を起動したならば、ステップＳａ３の待ち受け状態に移行する。
【００９５】
ステップＳａ３においてＣＰＵ５１ａは、消費者が試着室に在室しているか否かを確認する。そして、消費者が在室していると判定した場合にＣＰＵ５１ａは、ステップＳａ３に戻る。かくしてＣＰＵ５１ａは、消費者が試着室から退室するのを待ち受ける。そしてＣＰＵ５１ａは、消費者が試着室に在室しないことを確認したならば、ステップＳａ３からステップＳａ４へ進む。
【００９６】
ステップＳａ４においてＣＰＵ５１ａは、コーディネート支援プログラムに基づくコーディネート支援処理を停止する。そしてこの後にＣＰＵ５１ａは、ステップＳａ１の待ち受け状態に戻り、消費者の試着室への新たな入室に備える。
【００９７】
以上のようにコーディネート支援装置５１は、提案商品の画像を消費者の画像に合成して表示することにより、消費者が提案商品を実際に試着しなくとも、消費者が提案商品を着用した様子を消費者が確認することを可能とする。しかしながら、消費者は提案商品の画像を見ているだけであるから、消費者は、購入を決意する前に提案商品の現物を確認したいと考えることが多いと思われる。そこでコーディネート支援装置５１は、ナビ画像２２２を表示することにより、店舗内における提案商品の陳列位置を消費者が容易に知ることを可能とする。従って、消費者は店舗内で提案商品を探し回ることなくスムーズに提案商品の現物を確認することが可能となる。また、このことに付随して、消費者が提案商品の現物の確認に関して店員に何らかの依頼をする機会が減少することが期待でき、これによって店員の負担の軽減が期待できる。
【００９８】
この実施形態は、次のような種々の変形実施が可能である。
【００９９】
提案商品の決定方法は任意であって良い。例えば、試着商品とは無関係に、消費者に関する属性（年齢、性別、嗜好等）や消費者が指定する絞り込み条件に基づいて提案商品を決定しても良い。この場合、スキャナ５１ｇは省略が可能である。
【０１００】
また本願は、お勧めの商品を消費者に提案するシステムには限らず、消費者がリストから選択した商品の画像を消費者の画像に合成して表示するシステムのような別形態のシステムにおいても適用が可能である。
【０１０１】
コーディネートサーバ４にアップロードする画像データが表す画像は、位置画像２２３を最低限含んでいれば良い。
【０１０２】
位置画像２２３の表示と、ナビ画像データのアップロードおよび二次元コードとのいずれか一方を省略しても良い。
【０１０３】
ナビ画像２２２または位置画像２２３をプリンタによりプリントしても良い。この場合、位置画像２２３の表示と、ナビ画像データのアップロードおよび二次元コードとの双方または一方を省略しても良い。この場合にプリンタは、コーディネート支援装置５１に内蔵しても良いし、外付けとしても良い。
【０１０４】
店舗の陳列棚やハンガーラックなどに識別番号を定めるとともに、この識別番号を表した札などを消費者が確認可能なように商品棚やハンガーラックなどに取り付けておき、コーディネート支援装置５１では提案商品の陳列位置の識別番号を消費者に知らせるようにしても良い。
【０１０５】
表示器５１ｄおよびカメラ５１ｆは、コーディネート支援装置５１に内蔵せず、外付けした汎用の表示デバイスおよびカメラを表示器５１ｄおよびカメラ５１ｆの代わりに使用しても良い。
【０１０６】
商品サーバ２およびコーディネートサーバ４における処理の一部または全てを、コーディネート支援装置５１にて行っても良い。
【０１０７】
ナビ画像データは、赤外線通信や無線通信を利用して、コーディネート支援装置５１から携帯情報端末へと直接に転送しても良い。
【０１０８】
図６に示す処理の一部またはすべてを、店舗サーバ１、商品サーバ２、会員サーバ３、コーディネートサーバ４、あるいはこれらのサーバとは別のサーバのいずれかにて行っても良い。ただしこの場合でも、消費者による指示を入力するための処理や、消費者に各種の情報を通知するための処理はコーディネート支援装置５１にて行う。このような形態のコーディネート支援システムの実現には、クラウドコンピューティングを利用できる。より具体的には、software as a service（ＳａａＳ）と称されるソフトウェア提供形態が適する。
【０１０９】
図１３はクラウドコンピューティングを利用するコーディネート支援システム３００の構成を示す図である。
【０１１０】
このコーディネート支援システム３００は、クラウド３０１、複数の端末装置３０２および複数の通信ネットワーク３０３を含む。なお、端末装置３０２および通信ネットワーク３０３は、それぞれ１つのみでも良い。
【０１１１】
クラウド３０１はさらに、複数のサーバ装置３０１ａを含む。これら複数のサーバ装置３０１ａは互いに通信可能に構成される。ただしサーバ装置３０１ａは、１つのみであっても良い。
【０１１２】
端末装置３０２は、通信ネットワーク３０３を介してクラウド３０１と通信可能である。端末装置３０２としては、デスクトップタイプやノートブックタイプなどの種々のコンピュータ、携帯電話装置、携帯情報端末（ＰＤＡ）、あるいはスマートフォンなどを適宜に利用できる。通信ネットワーク３０３としては、インターネット、プライベートネットワーク、次世代ネットワーク（ＮＧＮ）、あるいはモバイルネットワークなどを適宜に利用できる。
【０１１３】
そしてコーディネート支援システム３００は、各種画面の表示、消費者の指示の入力、撮影、商品コードの読み取りなどは端末装置３０２にて実行するが、その他の処理についてはクラウド３０１および端末装置３０２のいずれにおいて実行しても良い。
【０１１４】
図６に示す処理の一部をクラウド３０１で実行し、残りの処理を端末装置３０２にて実行する場合、その処理を端末装置３０２が有するコンピュータに実行させるためのプログラムを予め端末装置３０２が有する記憶ユニットに記憶させておいても良いし、上記のプログラムをクラウド３０１が有する記憶ユニットに記憶しておき、必要に応じてクラウド３０１から端末装置３０２へと与えるようにしても良い。上記のプログラムをクラウド３０１から端末装置３０２へと与える場合には、サーバ装置３０１ａのうちの少なくとも１つに、上記のプログラムを端末装置３０２へと送信する機能を備える。
【０１１５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１１６】
１００…コーディネート支援システム、１…店舗サーバ、１１…店舗データベース、２…商品サーバ、２１…商品データベース、２２…商品画像データベース、３…会員サーバ、３１…会員データベース、４…コーディネートサーバ、４１…コーディネートデータベース、４２…画像管理データベース、４３…ナビ画像データベース、５…店舗システム、５１…コーディネート支援装置、５１ａ…ＣＰＵ、５１ｂ…ＲＯＭ、５１ｃ…ＲＡＭ、５１ｄ…表示器、５１ｅ…タッチセンサ、５１ｆ…カメラ、５１ｇ…スキャナ、５１ｈ…通信デバイス、５１ｉ…バスライン、５２…ＰＯＳ端末、６…通信ネットワーク。
【図１】
2013186484.tif 000003
【図２】
2013186484.tif 000004
【図３】
2013186484.tif 000005
【図４】
2013186484.tif 000006
【図５】
2013186484.tif 000007
【図６】
2013186484.tif 000008
【図７】
2013186484.tif 000009
【図８】
2013186484.tif 000010
【図９】
2013186484.tif 000011
【図１０】
2013186484.tif 000012
【図１１】
2013186484.tif 000013
【図１２】
2013186484.tif 000014
【図１３】
2013186484.tif 000015